(57)【要約】  【課題】運搬車には、けん引用連結部を設け、リフトアップすることなく運搬できるキャスター付き台車の運搬装置を提供する。  【解決手段】自在に角度を変えることが可能な、固定されたハンドル９と支持棒１０とけん引用連結部１２とを備え、そしてハンドル９を手前に引くことにより、けん引用連結部１２が突出し、キャスター付き台車の角穴に挿入することで運搬車と連結され、リフトアップすることなくキャスター付き台車をけん引することができる運搬装置を提供する。【選択図】図１
2005324642.tif 000002
【特許請求の範囲】
【請求項１】
端部に角穴を設けたキャスター付台車と、前記キャスター付台車をけん引するための運搬車において、前記運搬車には前記角穴を利用して連結するためのけん引用連結部と、連結運搬操作を行なうためのハンドル部と、前記けん引用連結部とハンドル部を支える本体とを備え、運搬時はハンドル部を傾斜させることで前記キャスター付台車の角穴に前記けん引用連結部が係合することを特徴とする、キャスター付き台車の運搬装置。
【請求項２】
複数のけん引用連結部を左右に調整することができ、複数のキャスター付き台車を連結し、複数同時に運搬することを特徴とする請求項１記載のキャスター付き台車の運搬装置。
【請求項３】
けん引用連結部の左右に枠を設けることにより、キャスター付き台車をズレ無く運搬することを特徴とする請求項１または２記載のキャスター付き台車の運搬装置。
【請求項４】
運搬車のハンドル部は本体との間に設けた弾性部材により運搬後ハンドル部を離しても自動的に待機位置に戻ることを特徴とする請求項１から３のいずれか一項に記載のキャスター付き台車の運搬装置。
【請求項５】
本体にハンドル部の傾斜角を規制するストッパーを設けることにより、運搬中ハンドル部が必要以上に床面に倒れないことを特徴とする請求項１から４のいずれか一項に記載のキャスター付き台車の運搬装置。
【発明の詳細な説明】
【技術分野】
【０００１】
本発明は運搬車にはけん引用連結部を有するキャスター付き台車の運搬装置に関するものである。
【背景技術】
【０００２】
近年、キャスター付き台車の運搬装置はあらゆる場所、用途で運搬業務に使用されている。
【０００３】
以下、図面を参照しながら上記従来のキャスター付き台車の運搬装置を説明する。
【０００４】
図７は従来のキャスター付き台車の運搬装置（ハンドリフト）の側面図である。図１０に示すように、従来の運搬装置はフォーク部１と、ハンドルリング部２と、ハンドル部３と、圧縮コイルバネ４と、昇降機構５と、作動側シリンダ６と、車輪７と、車輪８とから構成されている。
【０００５】
以上のように構成された運搬装置について、以下その動作を説明する。
【０００６】
まず、ハンドル３のポンピングによって昇降機構５を作動させ、車輪７を下方に突出させ、フォーク部１を上昇させる一方、ハンドル３のロックおよび解除レバー（図示せず）操作によってフォーク部１を下降させるように構成している。
【０００７】
また、キャスター付き台車と運搬車の連結方法にはフォーク部を上昇させ、キャスター付き台車の片側を持ち上げるもの（例えば特許文献１参照）がある。
【特許文献１】特開平１１−１３９３２１号報
【発明の開示】
【発明が解決しようとする課題】
【０００８】
しかしながら、上記従来の構成は、フォーク部１はハンドル３をポンピングすることによって上げ下げしなければならいないため、時間と労力がかかるという欠点があった。
【０００９】
本発明は上記従来の課題を解決するもので、フォーク部１を上げ下げすることなく、時間も労力もかからないキャスター付き台車の運搬装置を提供することを目的とする。
【課題を解決するための手段】
【００１０】
上記従来の課題を解決するために、本発明のキャスター付き台車の運搬装置は、キャスター付き台車には角穴が設けられており、運搬車には、けん引用連結部を設けたものであり、キャスター付き台車をリフトアップすることなく運搬できる。
【発明の効果】
【００１１】
本発明のキャスター付き台車の運搬装置は、荷物の運搬時にリフトアップするという労力と時間を短縮し、さらにはリフトダウン時の足を挟む等を防止し、安全性の向上は図ることができる。
【００１２】
また、本発明のキャスター付き台車の運搬装置は、請求項１に記載の発明に加えて、キャスター付き台車を複数同時に運搬することにより、１回の運搬量を増やすことができ運搬時間の短縮することができる。
【発明を実施するための最良の形態】
【００１３】
請求項１に記載の発明は、端部に角穴を設けたキャスター付台車と、前記キャスター付台車をけん引するための運搬車において、前記運搬車には前記角穴を利用して連結するためのけん引用連結部と、連結運搬操作を行なうためのハンドル部と、前記けん引用連結部とハンドル部を支える本体とを備え、運搬時はハンドル部を傾斜させることで前記キャスター付台車の角穴に前記けん引用連結部が係合するものであり、キャスター付き台車をリフトアップすることなく運搬できるという作用を有する。
【００１４】
請求項２に記載の発明は、請求項１に記載の発明のキャスター付き台車の運搬装置にさらに、運搬車のけん引用連結部を左右に調整することができ、キャスター付き台車を連結し複数個同時に運搬する作用を有する。
【００１５】
請求項３に記載の発明は、請求項２に記載の発明のキャスター付き台車の運搬装置にさらに、運搬車に枠を設けることにより、キャスター付き台車をズレ無く運搬する作用を有する。
【００１６】
請求項４に記載の発明は、請求項１から３のいずれか一項に記載の発明のキャスター付き台車の運搬装置において運搬車のハンドル部と係合部にバネが取付けられており、運搬後ハンドル部を離しても倒れず、収納時にも場所をとらない作用を有する。
【００１７】
請求項５に記載の発明は、請求項１から４のいずれか一項に記載の発明のキャスター付き台車の運搬装置において運搬中、ハンドル部がストッパーにより必要以上床面に倒れることを防ぎ、運搬中、運搬装置不安定な姿勢なることを防ぐという作用を有する。
【００１８】
以下、本発明によるキャスター付き台車の運搬装置の実施の形態について、図面を参照しながら説明する。なお従来と同一構成については、同一符号を付して詳細な説明を省略する。
【００１９】
（実施の形態１）
図１は本発明の実施の形態１によるキャスター付き台車の運搬装置の側面図である。図２は同実施の形態のキャスター付き台車の運搬装置の平面図である。
【００２０】
図３はキャスター付き台車の斜視図である。
【００２１】
図１、図２に示すように、本実施の形態のキャスター付き台車の運搬装置はハンドル９と支持棒１０とは固定されており、ハンドル９と支持棒１０は軸心１１を介してけん引用連結部１２と固定されている。
【００２２】
軸受け１３は本体１４と固定されており、本体１４には自在輪１５と固定輪６とが連結されている。
【００２３】
以上のように構成された本実施の形態のキャスター付き台車の運搬車について、以下その動作を説明する。
【００２４】
まず、キャスター付き台車には角穴とキャスター付き台車同士が連結できる構成となっており、運搬装置においては、ハンドル９と支持棒１０とは固定されており、ハンドル９と支持棒１０は軸心１１を介してけん引用連結部１２と固定され、軸受け１３によって自在に角度を変えることができる。
【００２５】
また、本体１４には枠１７が取付けられており、枠１７は自在にスライドすることが可能であり、けん引用連結部１２も自在にスライドが可能である。
【００２６】
そして、キャスター付き台車に荷物を積載し、あらかじめ、運搬装置のけん引用連結部１２と枠１７をキャスター付き台車の角穴の位置とキャスター付き台車の外郭に合わせ、運搬装置をキャスター付き台車に密接させ、ハンドル９を持って手前に引く。
【００２７】
その際、図４のように運搬装置のハンドル９を手前に引くことにより、けん引用連結部１２が突出し、キャスター付き台車の角穴に挿入され、そのまま引っ張り続けると、キャスター付き台車をけん引することができる。
【００２８】
そして、けん引中はストッパー１８により必要以上にハンドル９が床側に倒れるのを防ぎ、運搬中、不安定な姿勢になることを防ぐ。
【００２９】
けん引後、図５のようにハンドル９を離してもバネ１９によりハンドル９は待機位置に自動的に戻り、自動的に戻ったハンドル９を傾けることなくキャスター付き台車から離し、別のキャスター付き台車にセットする。
【００３０】
以上のように本実施の形態のキャスター付き台車の運搬装置は、自在に角度を変えることが可能な、固定されたハンドル９と支持棒１１とけん引用連結部１２とを備えたことにより、リフトアップすることなく荷物を運搬することができる。
【００３１】
またスライド可能な枠１７を備えたことによりキャスター付き台車を複数個同時に運搬する際にもズレなく安全に運搬することができる。
【００３２】
（実施の形態２）
図６は本発明の実施の形態２によるキャスター付き台車の運搬装置の側面図である。
【００３３】
図６に示すように、本実施の形態のキャスター付き台車の運搬装置は本実施の形態１の枠１７を取付けていないものである。
【００３４】
以上のように構成された本実施の形態のキャスター付き台車の運搬車について、以下その動作を説明する。
【００３５】
枠１７がないことにより、運搬装置は軽量になり、運搬後、小回りも効き、収納するまでの持ち運びが容易になり、また、収納時にはハンドル９を壁等に引掛けることもできる。
【００３６】
以上のように本実施の形態のキャスター付き台車の運搬装置は、枠１７が取付けられていないことにより、軽量でかつ、収納スペースが小さくて済む。
【産業上の利用可能性】
【００３７】
以上のように、本発明にかかるキャスター付き台車の運搬装置は、キャスター付き台車をリフトアップすることなく運搬することが可能となるので、他の荷役運搬業務にも適用できる。
【図面の簡単な説明】
【００３８】
【図１】本発明の実施の形態１におけるキャスター付き台車の運搬装置の側面図
【図２】本発明の実施の形態１におけるキャスター付き台車の運搬装置の平面図
【図３】本発明の実施の形態１におけるキャスター付き台車の運搬装置の斜視図
【図４】本発明の実施の形態１におけるキャスター付き台車の運搬装置の運搬中の側面図
【図５】本発明の実施の形態１におけるキャスター付き台車の運搬装置の運搬後の側面図
【図６】本発明の実施の形態２におけるキャスター付き台車の運搬装置の側面図
【図７】従来のキャスター付き台車の運搬装置の側面図
【符号の説明】
【００３９】
９    ハンドル
１２  けん引用連結部
１４  本体
１８  ストッパー
１９  バネ
【図１】
2005324642.tif 000003
【図２】
2005324642.tif 000004
【図３】
2005324642.tif 000005
【図４】
2005324642.tif 000006
【図５】
2005324642.tif 000007
【図６】
2005324642.tif 000008
【図７】
2005324642.tif 000009